(57)【特許請求の範囲】
【請求項１】
カセットガスボンベが収容されるボンベ収容部と、このボンベ収容部に収容されたカセットガスボンベから供給される燃料ガスによって燃焼する燃焼装置部とから成り、前記ボンベ収容部は、カセットガスボンベが着脱自在に装填されるボンベ装填室と、このボンベ装填室を開閉可能でカセットガスボンベをボンベ装填室に対し出し入れするためのカバー蓋と、前記ボンベ装填室に装填されたカセットガスボンベと前記燃焼装置部との間に配されて燃焼装置部が発する熱を遮る遮熱板とを有し、前記燃焼装置部は、前記ボンベ装填室に装填されたカセットガスボンベが着脱自在に接続されて燃料ガスの供給量を制御可能な燃料供給制御器と、この燃料供給制御器から燃料ガスを誘導供給する燃料誘導器と、この燃料誘導器の先端部に設けられ前記燃料供給制御器及び燃料誘導器を介して供給される燃料ガスにより燃焼するバーナーと、このバーナー付近に設けられ鍋などの加熱調理容器を載置使用可能な複数の五徳とを有し、前記燃焼装置部は、前記燃料供給制御器が前記ボンベ収容部に回動自在に枢着されていて、この燃料供給制御器を介して燃焼装置部がボンベ収容部に対し回動自在に設けられていると共に、前記燃料誘導器と前記バーナーとが、カセットガスボンベが取り外された前記ボンベ収容部のボンベ装填室に収納可能な形状に形成されていて、前記カバー蓋を開放し前記遮熱板を避けるように前記燃料供給制御器を介して前記燃焼装置部を回動させることにより、燃料誘導器とバーナーとが前記ボンベ装填室に収納される状態と、燃料誘導器とバーナーとがボンベ装填室から露出してバーナーとボンベ装填室との間に前記遮熱板が配設される状態とに切替え可能に構成されており、前記五徳は、前記バーナーに対し可動自在に設けられていて、この五徳をバーナーに対し可動した状態で前記燃焼装置部を前記ボンベ収容部のボンベ装填室に回動収納することにより、この五徳がバーナーと共にボンベ装填室に収納されるように構成されていることを特徴とするカセットガスコンロ装置。
【請求項２】
前記燃焼装置部は、前記バーナーに対し外方へ突出配設するようにして前記複数の五徳が設けられており、この複数の五徳は、燃焼装置部に可動自在に設けられて、一束にまとめられた不使用時形態とし得るように構成されていると共に、前記不使用時形態とした複数の五徳が、バーナーに対する突出長を縮小する方向にスライド移動可能な縮小スライド機構を備えていて、この縮小スライド機構を介して前記不使用時形態の複数の五徳をバーナーに対する突出長が縮小された五徳コンパクト形態とし得るように構成されており、この五徳コンパクト形態で前記燃焼装置部を回動させて前記燃料誘導器と前記バーナーとをボンベ収容部のボンベ装填室に収納することにより、複数の五徳がバーナーと共にボンベ装填室に収納されるように構成されていることを特徴とする請求項１記載のカセットガスコンロ装置。
【請求項３】
前記複数の五徳は、前記バーナーに対し水平旋回移動可能に構成されていて、この複数の五徳を旋回移動させることにより前記燃料誘導器の反対側で一束にまとめられた不使用時形態とし得るように構成されていると共に、前記不使用時形態とした複数の五徳が、バーナーに対する突出長を縮小する方向にスライド移動可能な縮小スライド機構を備えていて、この縮小スライド機構を介して前記不使用時形態の複数の五徳をバーナーに対する突出長が縮小された五徳コンパクト形態とし得るように構成されていることを特徴とする請求項１，２のいずれか１項に記載のカセットガスコンロ装置。
【請求項４】
前記ボンベ収容部は、前記カバー蓋と前記遮熱板とが対向状態に配設されており、前記燃焼装置部は、前記燃料供給制御器が前記ボンベ収容部に水平回動自在に設けられていて、前記カバー蓋を開放させ前記遮熱板を避けるようにこのカバー蓋側から前記ボンベ装填室に収納されている燃焼装置部を燃料供給制御器を介して２００度以上水平回動させることにより、この燃焼装置部の前記燃料誘導器と前記バーナーとがボンベ装填室からボンベ収容部外へ露出して、バーナーとボンベ装填室との間に前記遮熱板が配設されるように構成されていることを特徴とする請求項１〜３のいずれか１項に記載のカセットガスコンロ装置。
【発明の詳細な説明】
【技術分野】
【０００１】
本発明は、燃料にカセットガスボンベを用いるカセットガスコンロ装置に関するものである。
【背景技術】
【０００２】
従来から、カセットガスボンベ（ＣＢ缶とも称される。）を燃料に使用するコンロ装置が実施されている（例えば、特許文献１参照）。
【先行技術文献】
【特許文献】
【０００３】
【特許文献１】特開２０１９−２６６８号公報
【発明の概要】
【発明が解決しようとする課題】
【０００４】
本発明は、特許文献１と同様にカセットガスボンベを燃料に使用するものであって、不使用時に非常にコンパクトな形態にでき、持ち運びや収納に便利で家庭用の卓上コンロとしてもアウトドア用コンロとしても使用可能となる実用性に優れたカセットガスコンロ装置を提供するものである。
【課題を解決するための手段】
【０００５】
添付図面を参照して本発明の要旨を説明する。
【０００６】
カセットガスボンベ１が収容されるボンベ収容部２と、このボンベ収容部２に収容されたカセットガスボンベ１から供給される燃料ガスによって燃焼する燃焼装置部３とから成り、前記ボンベ収容部２は、カセットガスボンベ１が着脱自在に装填されるボンベ装填室４と、このボンベ装填室４を開閉可能でカセットガスボンベ１をボンベ装填室４に対し出し入れするためのカバー蓋５と、前記ボンベ装填室４に装填されたカセットガスボンベ１と前記燃焼装置部３との間に配されて燃焼装置部３が発する熱を遮る遮熱板６とを有し、前記燃焼装置部３は、前記ボンベ装填室４に装填されたカセットガスボンベ１が着脱自在に接続されて燃料ガスの供給量を制御可能な燃料供給制御器７と、この燃料供給制御器７から燃料ガスを誘導供給する燃料誘導器８と、この燃料誘導器８の先端部に設けられ前記燃料供給制御器７及び燃料誘導器８を介して供給される燃料ガスにより燃焼するバーナー９と、このバーナー９付近に設けられ鍋などの加熱調理容器11を載置使用可能な複数の五徳10とを有し、前記燃焼装置部３は、前記燃料供給制御器７が前記ボンベ収容部２に回動自在に枢着されていて、この燃料供給制御器７を介して燃焼装置部３がボンベ収容部２に対し回動自在に設けられていると共に、前記燃料誘導器８と前記バーナー９とが、カセットガスボンベ１が取り外された前記ボンベ収容部２のボンベ装填室４に収納可能な形状に形成されていて、前記カバー蓋５を開放し前記遮熱板６を避けるように前記燃料供給制御器７を介して前記燃焼装置部３を回動させることにより、燃料誘導器８とバーナー９とが前記ボンベ装填室４に収納される状態と、燃料誘導器８とバーナー９とがボンベ装填室４から露出してバーナー９とボンベ装填室４との間に前記遮熱板６が配設される状態とに切替え可能に構成されており、前記五徳10は、前記バーナー９に対し可動自在に設けられていて、この五徳10をバーナー９に対し可動した状態で前記燃焼装置部３を前記ボンベ収容部２のボンベ装填室４に回動収納することにより、この五徳10がバーナー９と共にボンベ装填室４に収納されるように構成されていることを特徴とするカセットガスコンロ装置に係るものである。
【０００７】
また、前記燃焼装置部３は、前記バーナー９に対し外方へ突出配設するようにして前記複数の五徳10が設けられており、この複数の五徳10は、燃焼装置部３に可動自在に設けられて、一束にまとめられた不使用時形態Ｆとし得るように構成されていると共に、前記不使用時形態Ｆとした複数の五徳10が、バーナー９に対する突出長を縮小する方向にスライド移動可能な縮小スライド機構12を備えていて、この縮小スライド機構12を介して前記不使用時形態Ｆの複数の五徳10をバーナー９に対する突出長が縮小された五徳コンパクト形態Ｃとし得るように構成されており、この五徳コンパクト形態Ｃで前記燃焼装置部３を回動させて前記燃料誘導器８と前記バーナー９とをボンベ収容部２のボンベ装填室４に収納することにより、複数の五徳10がバーナー９と共にボンベ装填室４に収納されるように構成されていることを特徴とする請求項１記載のカセットガスコンロ装置に係るものである。
【０００８】
また、前記複数の五徳10は、前記バーナー９に対し水平旋回移動可能に構成されていて、この複数の五徳10を旋回移動させることにより前記燃料誘導器８の反対側で一束にまとめられた不使用時形態Ｆとし得るように構成されていると共に、前記不使用時形態Ｆとした複数の五徳10が、バーナー９に対する突出長を縮小する方向にスライド移動可能な縮小スライド機構12を備えていて、この縮小スライド機構12を介して前記不使用時形態Ｆの複数の五徳10をバーナー９に対する突出長が縮小された五徳コンパクト形態Ｃとし得るように構成されていることを特徴とする請求項１，２のいずれか１項に記載のカセットガスコンロ装置に係るものである。
【０００９】
また、前記ボンベ収容部２は、前記カバー蓋５と前記遮熱板６とが対向状態に配設されており、前記燃焼装置部３は、前記燃料供給制御器７が前記ボンベ収容部２に水平回動自在に設けられていて、前記カバー蓋５を開放させ前記遮熱板６を避けるようにこのカバー蓋５側から前記ボンベ装填室４に収納されている燃焼装置部３を燃料供給制御器７を介して２００度以上水平回動させることにより、この燃焼装置部３の前記燃料誘導器８と前記バーナー９とがボンベ装填室４からボンベ収容部２外へ露出して、バーナー９とボンベ装填室４との間に前記遮熱板６が配設されるように構成されていることを特徴とする請求項１〜３のいずれか１項に記載のカセットガスコンロ装置に係るものである。
【発明の効果】
【００１０】
本発明は上述のように構成したから、不使用時や持ち運び時に、ボンベ装填室に燃焼装置部の燃料誘導器とバーナーとが収納されて略ボンベ収容部だけが外観上に表出するコンパクトな収納形態にでき、この収納形態での携行性に秀でるために家庭用としてだけでなくアウトドアレジャー用にも適するなど、極めて実用性に優れたカセットガスコンロ装置となる。
【００１１】
また、請求項２，３記載の発明においては、バーナーと共にボンベ装填室に収納される複数の五徳を簡易構成にして容易に設計実現可能となる一層実用性に優れた構成のカセットガスコンロ装置となる。
【００１２】
また、請求項４記載の発明においては、使用時に燃焼装置部（バーナー）が発する熱が遮熱板に遮られてボンベ装填室に装填されているカセットガスボンベの過加熱が確実に防止される安全性の高い装置構成を容易に設計実現可能となる一層実用性に優れた構成のカセットガスコンロ装置となる。
【図面の簡単な説明】
【００１３】
【図１】本実施例（の使用形態）を示す斜視図である。
【図２】本実施例の収納形態並びにカセットガスボンベを示す斜視図である。
【図３】本実施例の収納形態からカバー蓋を開放し、五徳をバーナーに対して突出方向にスライド可動させようとする状態を示す説明斜視図である。
【図４】図３に続いて、ロックピンを押動することで燃焼装置部のボンベ収容部に対する回動ロック状態を解除しようとする状態（ａ）と、ロックピン押動後に燃焼装置部を２７０度水平回動させてボンベ収容部（ボンベ装填室）から露出させることにより、ボンベ装填室とバーナーとの間に遮熱板が配設するようにした状態（ｂ）を示す説明斜視図である。
【図５】図４に続いて、バーナーに対し五徳を水平旋回（展開）させ、ボンベ装填室にカセットガスボンベを装填した状態を示す説明斜視図である。
【図６】本実施例の五徳の縮小スライド機構を示す説明底面図である。
【発明を実施するための形態】
【００１４】
好適と考える本発明の実施形態を、図面に基づいて本発明の作用を示して簡単に説明する。
【００１５】
本発明のカセットガスコンロ装置Ａは、ボンベ収容部２と燃焼装置部３とを、ボンベ収容部２のボンベ装填室４と燃焼装置部３のバーナー９との間に、ボンベ収容部２の遮熱板６が配設される状態（使用形態Ａ１）として卓上や地面上に載置すると共に、ボンベ装填室４にカセットガスボンベ１を装填（ボンベ収容部２にカセットガスボンベ１を収容）してカセットガスボンベ１を燃焼装置部３の燃料供給制御器７に着脱自在に接続すると、この燃料供給制御器７で供給量を制御された燃料ガスが燃料誘導器８を介してこの燃料誘導器８の先端部に設けられているバーナー９に誘導供給され、この供給燃料ガスによりバーナー９が燃焼可能となる。
【００１６】
従って、この使用形態Ａ１では、バーナー９付近に設けられている複数の五徳10に鍋などの加熱調理容器11を載置し、バーナー９に点火することで加熱料理を行うことができ、この際、燃焼装置部３（のバーナー９）が発する熱が遮熱板６に遮られてボンベ装填室４に装填されているカセットガスボンベ１の過加熱が防止されるので、安全性が高い。
【００１７】
また、本発明のカセットガスコンロ装置Ａは、不使用時や持ち運び時に、前述の使用形態Ａ１からコンパクトな収納形態Ａ２に切替え可能である。
【００１８】
具体的には、使用形態Ａ１からボンベ収容部２のカバー蓋５を開放し、燃料供給制御器７との接続状態を解除してボンベ装填室４に装填されているカセットガスボンベ１をこのボンベ装填室４から取出すと、ボンベ収容部２に回動自在に設けられている燃料供給制御器７を介して燃焼装置部３の燃料誘導器８とバーナー９とをボンベ装填室４に回動収納することができる。
【００１９】
また、この際、五徳10をバーナー９に対し可動した状態で燃焼装置部３をボンベ装填室４に回動収納すると、この五徳10もバーナー９と共にボンベ装填室４に収納されることとなる。
【００２０】
従って、燃焼装置部３の燃料誘導器８とバーナー９と五徳10とがボンベ装填室４に収納されて略ボンベ収容部２だけが外観上に表出するコンパクトな収納形態Ａ２になるので、不使用時の収納や持ち運びに便利となり、携行性に優れるために、家庭用としてだけでなくアウトドアレジャー用としても実用的である。
【００２１】
この収納形態Ａ２からボンベ収容部２のカバー蓋５を開放し、ボンベ収容部２の遮熱板６を避けるように前記燃料供給制御器７を介して前記燃焼装置部３を回動させると、燃料誘導器８とバーナー９と五徳10とがボンベ装填室４から露出してバーナー９とボンベ装填室４との間に前記遮熱板６が配設された状態にでき、さらに加熱調理容器11を載置可能となるようにバーナー９に対し五徳10を可動させることで前記使用形態Ａ１に切替えられ、燃焼装置部３（の燃料誘導器８とバーナー９と五徳10）がなくなったボンベ装填室４にカセットガスボンベ１を装填できる。
【実施例】
【００２２】
本発明の具体的な実施例について図面に基づいて説明する。
【００２３】
本実施例のカセットガスコンロ装置Ａは、カセットガスボンベ１（図２参照）が収容されるボンベ収容部２と、このボンベ収容部２に収容されたカセットガスボンベ１から供給される燃料ガスによって燃焼する燃焼装置部３とから構成されている（図１参照）。
【００２４】
本実施例のボンベ収容部２は、カセットガスボンベ１が着脱自在に装填されるボンベ装填室４と、このボンベ装填室４を開閉可能でカセットガスボンベ１をボンベ装填室４に対し出し入れするためのカバー蓋５と、前記ボンベ装填室４に装填されたカセットガスボンベ１と前記燃焼装置部３との間に配されて燃焼装置部３が発する熱を遮る遮熱板６とを有している。
【００２５】
具体的には、ボンベ収容部２は、図３，図４及び図５（ｂ）に示すように、市販のカセットガスボンベ１の長さ寸法より長い長さ幅を有して横に寝かせたカセットガスボンベ１を載置可能な帯板状のベース体13を備え、このベース体13の一側の長手方向縁に、カセットガスボンベ１の外形に対応した凸円弧板状の前記カバー蓋５が起伏回動自在に枢着されていると共に、ベース体13の他側の長手方向縁に、カセットガスボンベ１の外形に対応した凸円弧板状の前記遮熱板６が立設状態に固定されている。即ち、ボンベ収容部２は、その（ベース体13の）長さ方向と直交する方向にカバー蓋５と遮熱板６とが対向状態に設けられており、このベース体13とカバー蓋５と遮熱板６とで、カセットガスボンベ１よりひとまわり径大な略円柱（丸棒）状の外観を呈するように構成されている。
【００２６】
また、このベース体13とカバー蓋５と遮熱板６とに囲まれた略円柱形の空間部が、カセットガスボンベ１を横に寝かせた状態で載置装填可能で、カセットガスボンベ１より一回り径大な前記ボンベ装填室４（空間部）として構成されている。
【００２７】
また、ベース体13には、その長さ方向の両側底部に卓上や地面に対しこのベース体13が浮上状態で載置設置するための設置脚14が垂下突設されている。
【００２８】
また、カバー蓋５と遮熱板６とは、カバー蓋５の方が弧長を有する形状に形成されていて、この弧長のあるカバー蓋５を開くと、ボンベ装填室４の側部と上部とが広く開口するように構成されている（図３参照）。
【００２９】
また、カバー蓋５は、図３に示すように、その長さ方向の一端側（図３中の右側端部）が、ボンベ収容部２の長さ方向と直交する方向に面方向を有する平板状で且つカセットガスボンベ１の断面形状に対応した円板形に形成されていて、この円板形端部が、本カセットガスコンロ装置Ａを後述する収納形態Ａ２とした際の縦置き用載置面部15として構成されている。
【００３０】
また、遮熱板６は、その円弧方向と直交する方向の長さ寸法が、カバー蓋５のそれより短く形成され、これによりこの遮熱板６の他端部（図３中の左側端部）に臨設するボンベ収容部２の他端側には、前記ボンベ装填室４と連通する開放部16が形成されている。
【００３１】
本実施例の燃焼装置部３は、前記ボンベ装填室４に装填されたカセットガスボンベ１が着脱自在に接続されて燃料ガスの供給量を制御可能な燃料供給制御器７と、この燃料供給制御器７から燃料ガスを誘導供給する燃料誘導器８と、この燃料誘導器８の先端部に設けられ前記燃料供給制御器７及び燃料誘導器８を介して供給される燃料ガスにより燃焼するバーナー９と、このバーナー９付近に設けられ鍋などの加熱調理容器11を載置使用可能な複数の五徳10とを有している。
【００３２】
具体的には、燃焼装置部３は、前記遮熱板６の長さ寸法より短い長さ幅を有する帯状のベース部材17を備え、このベース部材17に前記燃料供給制御器７と前記バーナー９とを接続して燃料供給制御器７からバーナー９へ燃料ガスを誘導供給するガス導管18が、このベース部材17の長さ方向に沿ってベース部材17上の中央を通るように配設されていて、このベース部材17とガス導管18とで前記燃料誘導器８が構成されている。
【００３３】
また、このベース部材17の基端部上に前記燃料供給制御器７が固定され、ベース部材17の先端部上に前記バーナー９が固定されている。
【００３４】
燃料供給制御器７は、カセットガスボンベ１を着脱自在に接続するボンベ接続部19と、前記バーナー９に燃料誘導器８のガス導管18を介して供給される燃料ガスの供給量を調整制御する点火・消火制御も可能な操作用摘み20とが水平方向に対向状態に設けられ、詳しく図示していないが、このボンベ接続部19と操作用摘み20との間の上部に調圧器21が設けられている。
【００３５】
また、この燃料供給制御器７は、前記ボンベ収容部２のベース体13の前記開放部16側端部上に配設されて軸ネジ22により水平回動自在に軸着されている。即ち、この燃料供給制御器７を介して燃焼装置部３がボンベ収容部２に連結されていると共に、この燃料供給制御器７を回動中心（軸ネジ22を回動支点）として燃焼装置部３がボンベ収容部２に対し水平旋回移動自在に設けられている。
【００３６】
また、この燃料供給制御器７の下部には、常時下方へ突出付勢されるロックピン23がその付勢力に抗して没動可能に設けられ、一方、このロックピン23が突出して嵌合するピン嵌合孔24が前記ベース体13の前記開放部16側端部に設けられ（貫通形成され）ていて、ロックピン23がピン嵌合孔24に突出嵌合している状態では、この燃料供給制御器７の水平旋回移動がロックされて燃焼装置部３がボンベ収容部２に対して位置決められ、この回動ロック状態からロックピン23を上方へ押動して（ロックピン23を没動させて）ピン嵌合孔24から嵌脱させることで、ロック解除されて燃料供給制御器７を介して燃焼装置部３がボンベ収容部２に対し水平旋回移動可能となるように構成されている。
【００３７】
また、本実施例のピン嵌合孔24は、燃焼装置部３の前記ベース部材17が前記ボンベ収容部２のベース体13上に重なってこの燃焼装置部３の少なくとも燃料誘導器８とバーナー９とが前記ボンベ装填室４に収容された回動位置で前記ロックピン23が突出嵌合して回動止めされるピン嵌合孔24Ｂと、この回動止め状態から燃焼装置部３をボンベ収容部２に対し前記遮熱板６から離反する方向に動かし２７０度回動させた位置（燃焼装置部３が前記開放部16を介してボンベ収容部２より露出して燃焼装置部３とボンベ収容部２とが直交配設する状態）でロックピン23が突出嵌合して回動止めされるピン嵌合孔24Ａとが、ベース体13の他端部に二箇所設けられている。即ち、ロックピン23の押動操作により、燃焼装置部３の少なくとも燃料誘導器８とバーナー９とがボンベ装填室４内に収納された状態と、燃焼装置部３の燃料誘導器８とバーナー９がボンベ装填室４から露出してボンベ収容部２と直角に配設する状態とを切替え操作可能に構成されている。
【００３８】
また、この際、本実施例の燃焼装置部３は、燃料ガスの誘導通路である燃料供給制御器７とガス導管18とバーナー９とがベース部材17を介して一体化されていて、これらが一体となって水平旋回移動するように構成されているため、例えば、燃料供給制御器７とバーナー９との間が屈曲自在なガス誘導ホースで接続されていてこのガス誘導ホースの屈曲により燃焼装置部３の水平旋回移動が許容されるような構成や、燃焼装置部３のいずれかの部材が水平旋回移動に伴って可動することにより燃焼装置部３の水平旋回移動が許容されるような構成を採用する場合に比べて燃焼不具合が起こりにくく、信頼性・安全性の高い構成である。
【００３９】
また、この燃料供給制御器７には、前記ボンベ収容部２の外形と同調するカバー25が被嵌状態に付設されていて、燃焼装置部３の少なくとも燃料誘導器８とバーナー９と五徳10とがボンベ収容部２のボンベ装填室４内に収納された状態（収納形態Ａ２）では、このカバー25により燃料供給制御器７が円柱状のボンベ収容部２と一体化したあたかも一本の円柱形マグボトルであるかのようなコンパクトな形態となるように構成されている（図２参照）。
【００４０】
また、このカバー25は、燃料誘導器８とバーナー９がボンベ装填室４に収納された状態で、前記カバー蓋５の載置面部15の反対側に配される面が、前記カバー蓋５の載置面部15と平行な平坦面形状に形成されていて、このカバー25の平坦面部も、本装置を収納形態Ａ２とした際の縦置き用載置面部15として構成されている。即ち、本実施例の収納形態Ａ２では、前記設置脚14を利用して横置きで収納できるが、両端の載置面部15を利用して省スペースな縦置き収納も可能となるように構成されている（図２参照）。
【００４１】
また、バーナー９は、図１，図４及び図５に示すように、平面視円盤状のものが採用されている。
【００４２】
また、前記ベース部材17の中ほどには、前記ガス導管８を両側から挟むようにして、前記五徳10としての一対の五徳10Ｂが固定されており、さらにこのベース部材17の下部にも、帯板が側面視略コ字枠状に屈曲形成された前記五徳10としての複数（図面は二体）の五徳10Ａが設けられていると共に、この二体の五徳10Ａは、前記五徳10Ｂとバーナー９を挟んだ対向側（反対側）でベース部材17先端部（バーナー９）より外方へ突出するようにして配設されている。
【００４３】
また、この二体の五徳10Ａの下部には、使用形態Ａ１で前記設置脚14と共働して設置面に安定載置するための脚片32が一体的に形状に形成されている。
【００４４】
また、本実施例では、二体の五徳10Ａは、前記バーナー９に対し可動自在に設けられていて、この二体の五徳10Ａをバーナー９に対し可動した状態で前記燃焼装置部３を前記ボンベ収容部２のボンベ装填室４に回動収納することにより、この二体の五徳10Ａがバーナー９と共にボンベ装填室４に収納されるように構成されている（燃料誘導器８，バーナー９及び五徳10Ａが全てボンベ装填室４に収納された状態を前記収納形態Ａ２としている。）。
【００４５】
具体的には、ベース部材17の下部に枢着軸部26が設けられ、この枢着軸部26に二体の五徳10Ａの下側端部が夫々枢着されていることにより、二体の五徳10Ａがベース部材17の先端部のバーナー９に対し水平旋回可動自在に設けられている。
【００４６】
また、前記バーナー９の外周部の、前記五徳10Ｂとバーナー９を挟んだ反対側の所定二箇所には、二体の五徳10Ａの上側端部が係脱自在に係合することでこの二体の五徳10Ａを旋回停止状態とする五徳ストッパー27が近接配設されていると共に、この五徳ストッパー27は、二体の五徳10Ａとベース部材17中ほどの五徳10とが、バーナー９を中心として互いに約１２０度の間隔を置いた配置で二体の五徳10Ａが旋回停止することとなる位置に付設されており、本実施例では、二体の五徳10Ａを夫々五徳ストッパー27に係合して旋回停止させた状態が、この二体の五徳10Ａとベース部材17中ほどの五徳10との合計三箇所に鍋などの加熱調理容器11を安定的に載置可能な使用時形態Ｓとなるように構成されている。
【００４７】
本実施例では、二体の五徳10Ａが使用時形態Ｓであって且つ燃焼装置部３の燃料誘導器８とバーナー９とがボンベ装填室４から露出して燃焼装置部３がボンベ収容部２と略直角に配設されている形態を、加熱調理が可能な使用形態Ａ１としている。
【００４８】
また、この五徳ストッパー27は、前記ベース部材17の先端部の所定の二箇所に固定されている立ち上がり板28の上部に設けられていることでバーナー９の外周部に近接配設されている。さらに詳しくは、この二箇所の立ち上がり板28の上部が、夫々の対向内側が開放するコ字形の前記五徳ストッパー27に形成されて、このコ字形の五徳ストッパー27に水平旋回する五徳10Ａが係合することでこの二箇所の五徳ストッパー27の対向外側へ五徳10Ａが水平旋回することが阻止されるように構成されていると共に、このコ字形の五徳ストッパー27の下部出入り口付近に山形の乗り越え突片29が一体的に設けられていて、この乗り越え突片29を、五徳10Ａの上側端部が乗り越えてこの上側端部が五徳ストッパー27に係合することで五徳10Ａが位置決め（仮止め）られた前記使用時形態Ｓとなり（図１，図５参照）、この使用時形態Ｓから、二体の五徳10Ａを夫々逆方向に水平旋回させて乗り越え突片29を乗り越えさせることで、二体の五徳10Ａを前記燃料誘導器８の反対側で一束にまとめた不使用時形態Ｆとし得るように構成されている（図３，図４及び図６参照）。
【００４９】
また、この二体の五徳10Ａは、前記不使用時形態Ｆとした際にバーナー９に対する突出長を縮小する方向にスライド移動可能な縮小スライド機構12を備えていて、この縮小スライド機構12を介して前記不使用時形態Ｆとした二体の五徳10Ａをバーナー９に対しスライド移動させることにより、二体の五徳10Ａが一束にまとめられ且つバーナー９に対する突出長が縮小された五徳コンパクト形態Ｃとし得るように構成されており、この五徳コンパクト形態Ｃで前記燃焼装置部３をボンベ収容部２のボンベ装填室４に回動収納することにより、前記燃料誘導器８の五徳10Ｂはもちろん、この五徳10Ａもバーナー９と共にボンベ装填室４に収納されるように（前記収納形態Ａ２となるように）構成されている。
【００５０】
更に詳しくは、前記ベース部材17の中央部にこのベース部材17の長さ方向に沿った長さを有する軸受孔30が貫通形成され、この軸受孔30に前記枢着軸部26が装着されていると共に、この枢着軸部26が軸受孔30に沿ってベース部材17の長さ方向にスライド移動可能に設けられていて、この枢着軸部26のスライド移動に伴って、この枢着軸部26に数着されている二体の五徳10Ａがバーナー９に対し突出長を拡大する方向と縮小する方向とに往復スライド移動可能となるように構成されている。
【００５１】
また、図６に示すように、ベース部材17の先端側の下部両側には、枢着軸部26を軸受孔30の先端部に位置させて（二体の五徳10Ａのバーナー９に対する突出長を最長にして）二体の五徳10Ａを展開した前記使用時形態Ｓでは、この二体の五徳10Ａの下側端部が当接係止して二体の五徳10Ａのバーナー９に対する突出長を縮小する方向へのスライド移動を不能とする縮小スライドストッパー31が一体的に垂下形成されており、この使用時形態Ｓから二体の五徳10Ａを水平旋回させて二体の五徳10Ａを前記燃料誘導器８の反対側で一束にまとめた不使用時形態Ｆとすると、二体の五徳10Ａの下側端部の縮小スライドストッパー31への当接係止状態が解除されて、枢着軸部26を軸受孔30に対し往復スライド移動させることが可能となるように構成されている。
【００５２】
即ち、二体の五徳10Ａが使用時形態Ｓでは、バーナー９に対し突出長を縮小する方向にスライド移動させることができず、二体の五徳10Ａを前記燃料誘導器８の反対側で一束にまとめた不使用時形態Ｆとした時にだけ、二体の五徳10Ａをバーナー９に対し突出長を縮小する方向にスライド移動したり、突出長が縮小された状態から突出長を拡大する方向に引き出しスライド移動することができる前記縮小スライド機構12が構成されている。
【００５３】
次に、このように構成された本実施例の使用方法を説明する。
【００５４】
ボトル形の前記収納形態Ａ２（図２参照）から前記使用形態Ａ１（図１）への切替えは、先ず、カバー蓋５を開き、バーナー９からの突出長が縮小されて一束にまとめられている（五徳コンパクト形態Ｃとなっている）二体の五徳10Ａをバーナー９に対し外方へ引き出す（図３参照）。
【００５５】
次いで、ロックピン23を押動して（図４（ａ）中の矢印参照）ピン嵌合孔24Ｂから嵌脱させ、図４（ｂ）中の矢印のように、ボンベ収容部２（ボンベ装填室４）に収納されている燃焼装置部３（の燃料誘導器８，バーナー９及び五徳10）をボンベ装填室４に対し遮熱板６から離反する方向へ２７０度回動させると、燃焼装置部３がボンベ収容部２と直角に配設してこの状態がロックピン23のピン嵌合孔24への嵌合により保持される（図４（ｂ）参照）。
【００５６】
次いで、図５，図６に示すように、一束にまとめられている（不使用時形態Ｆの）二体の五徳10Ａを互いに離反する方向に水平旋回させて五徳ストッパー27により旋回停止するまで展開し（五徳10Ａを使用時形態Ｓとし）、ボンベ収容部２のボンベ装填室４にカセットガスボンベ１を装填して燃料供給制御器７のボンベ接続部19に接続（図５（ｂ）参照）してからカバー蓋５を閉じることで、使用形態Ａ１に切り替わり、三箇所の五徳10Ａ，10Ｂに鍋などの加熱調理容器11を載置して加熱調理を行うことができる。
【００５７】
この使用形態Ａ１から収納形態Ａ２への切替えは、カバー蓋５を開いてカセットガスボンベ１をボンベ装填室４（ボンベ収容部２）から取り出し、二体の五徳10Ａを水平旋回移動し加熱誘導器８の反対側で一束にまとめた不使用時形態Ｆとしてからロックピン23を押動して燃焼装置部３を２７０度回動させてボンベ装填室４内に収納し、縮小スライド機構12を介して二体の五徳10Ａをバーナー９に対する突出長を縮小する方向にスライド移動させて五徳コンパクト形態Ｃとし、カバー蓋５を閉じると収納形態Ａ２に切り替わる。
【００５８】
尚、本発明は、本実施例に限られるものではなく、各構成要件の具体的構成は適宜設計し得るものである。
【符号の説明】
【００５９】
１  カセットガスボンベ
２  ボンベ収容部
３  燃焼装置部
４  ボンベ装填室
５  カバー蓋
６  遮熱板
７  燃料供給制御器
８  燃料誘導器
９  バーナー
10  五徳
11  加熱調理容器
12  縮小スライド機構
Ｃ  五徳コンパクト形態
Ｆ  不使用時形態
【要約】
【課題】不使用時にコンパクトな形態にできて、持ち運びや収納に便利なカセットガスコンロ装置を提供すること。
【解決手段】ボンベ収容部２は、ボンベ装填室４と、カバー蓋５と、遮熱板６とを有し、燃焼装置部３は、ボンベ装填室４に装填されたカセットガスボンベ１が接続される燃料供給制御器７と、燃料ガスを誘導する燃料誘導器８と、バーナー９と、複数の五徳10とを有し、カバー蓋５を開放し燃焼装置部３を回動させて、燃料誘導器８とバーナー９がボンベ装填室４に収納される状態と、燃料誘導器８とバーナー９がボンベ装填室４から露出する状態とを切替え可能に構成され、五徳10は、可動によりボンベ装填室４に収納されるように構成されている。
【選択図】図１【図１】
0006839739.tif 000002
【図２】
0006839739.tif 000003
【図３】
0006839739.tif 000004
【図４】
0006839739.tif 000005
【図５】
0006839739.tif 000006
【図６】
0006839739.tif 000007